(57)【要約】【課題】高精度な絶縁低下検出を行うことができる高圧絶縁監視装置及び高圧絶縁監視方法を提供する。【解決手段】高圧絶縁監視装置１は、高圧配電線路の絶縁低下を検出する高圧絶縁監視装置であって、高圧配電線路Ｌ１の零相電流を検出する零相変流器２ｂと、高圧配電線路Ｌ１の各相の負荷電流を検出する変流器２ｃと、その変流器２ｃにより検出された各相の負荷電流及び零相変流器２ｂの特性を用いて、各相の負荷電流の影響による零相電流の誤差を抑えるよう、零相変流器２ｂにより検出された零相電流を補正する補正部３ａとを備える。【選択図】図１
2014036499.tif 000002
【特許請求の範囲】
【請求項１】
高圧配電線路の絶縁低下を検出する高圧絶縁監視装置であって、
前記高圧配電線路の零相電流を検出する零相変流器と、
前記高圧配電線路の各相の負荷電流を検出する変流器と、
前記変流器により検出された前記各相の負荷電流及び前記零相変流器の特性を用いて、前記各相の負荷電流の影響による前記零相電流の誤差を抑えるよう、前記零相変流器により検出された前記零相電流を補正する補正部と、
を備えることを特徴とする高圧絶縁監視装置。
【請求項２】
前記補正部は、前記各相の負荷電流の影響による前記零相電流の誤差を定義する方程式を用いることを特徴とする請求項１記載の高圧絶縁監視装置。
【請求項３】
前記零相変流器の特性は、前記零相変流器及び前記変流器を備える開閉器の負荷側に三相負荷を接続し、その開閉器の電源側から三相平衡電圧を印加し、前記各相の負荷電流の合成が零となる状態で前記三相負荷のバランスを変えて、前記変流器により検出された前記各相の負荷電流と前記零相変流器により検出された前記零相電流との関係を求め、その関係を前記方程式に適用することにより得られた特性であることを特徴とする請求項２記載の高圧絶縁監視装置。
【請求項４】
前記補正部は、前記変流器により検出された前記各相の負荷電流及び前記零相変流器の特性を前記方程式に適用し、前記各相の負荷電流の影響による前記零相電流の誤差の推定値を求め、その推定値を前記零相変流器により検出された前記零相電流から減算することを特徴とする請求項３記載の高圧絶縁監視装置。
【請求項５】
高圧配電線路の絶縁低下を検出する高圧絶縁監視方法であって、
前記高圧配電線路の零相電流を零相変流器により検出するステップと、
前記高圧配電線路の各相の負荷電流を変流器により検出するステップと、
前記変流器により検出された前記各相の負荷電流及び前記零相変流器の特性を用いて、前記各相の負荷電流の影響による前記零相電流の誤差を抑えるよう、前記零相変流器により検出された前記零相電流を補正するステップと、
を有することを特徴とする高圧絶縁監視方法。
【請求項６】
前記補正するステップでは、前記各相の負荷電流の影響による前記零相電流の誤差を定義する方程式を用いることを特徴とする請求項５記載の高圧絶縁監視方法。
【請求項７】
前記零相変流器の特性は、前記零相変流器及び前記変流器を備える開閉器の負荷側に三相負荷を接続し、その開閉器の電源側から三相平衡電圧を印加し、前記各相の負荷電流の合成が零となる状態で前記三相負荷のバランスを変えて、前記変流器により検出された前記各相の負荷電流と前記零相変流器により検出された前記零相電流との関係を求め、その関係を前記方程式に適用することにより得られた特性であることを特徴とする請求項６記載の高圧絶縁監視方法。
【請求項８】
前記補正するステップでは、前記変流器により検出された前記各相の負荷電流及び前記零相変流器の特性を前記方程式に適用し、前記各相の負荷電流の影響による前記零相電流の誤差の推定値を求め、その推定値を前記零相変流器により検出された前記零相電流から減算することを特徴とする請求項７記載の高圧絶縁監視方法。
【発明の詳細な説明】
【技術分野】
【０００１】
本発明は、高圧絶縁監視装置及び高圧絶縁監視方法に関し、例えば、高圧配電線路の絶縁低下を検出する高圧絶縁監視装置及び高圧絶縁監視方法に関する。
【背景技術】
【０００２】
高圧受電設備では、配電系統からの受電点に開閉器（区分開閉器）を設置し、その開閉器と地絡継電器とを組み合わせて地絡保護を行うことが一般的になっている。通常、高圧受電設備の地絡継電器は、配電系統との保護協調の観点から設定されている零相電圧及び零相電流の整定値を超える地絡事故が起きた場合に開閉器による遮断動作を行う。また、地絡継電器は、遮断動作を行う際、開閉器の定格遮断容量を守るための負荷電流値を開閉器内部の変流器（ＣＴ）から得ている。
【０００３】
前述の地絡事故を検出する方法としては、開閉器内の零相電圧検出装置（ＺＰＤ）及び零相変流器（ＺＣＴ）により零相電圧及び零相電流を取得し、その取得した零相電圧及び零相電流を利用して地絡事故を検出する方法が用いられている（例えば、特許文献１参照）。なお、地絡事故時の絶縁抵抗値は０〜数十ｋΩとなり、地絡継電器は地絡事故検出のために例えば１００ｍＡ程度の零相電流の検出を行うことになる。
【先行技術文献】
【特許文献】
【０００４】
【特許文献１】特開平６−２８４５５９号公報
【発明の概要】
【発明が解決しようとする課題】
【０００５】
しかしながら、前述のような地絡事故検出ではなく、地絡事故発生前の絶縁低下検出のためには、数ＭΩの高抵抗の検出、すなわち数ｍＡの零相電流の検出が必要となるが、その零相電流には負荷電流による誤差が生じ、数ＭΩの高抵抗時に流れる数ｍＡの零相電流の検出の妨げとなっている。したがって、地絡事故発生前の絶縁低下検出には、負荷電流による零相電流の誤差が問題となり、高精度な絶縁低下検出を行うことは困難になっている。例えば、６ＭΩの絶縁低下検出では、１ｍＡ相当の零相電流を検出する必要があるが、その１ｍＡ相当の零相電流に負荷電流が及ぼす影響は大きく、高精度な絶縁低下検出の障害となっている。
【０００６】
なお、負荷電流による零相変流器の出力誤差（零相電流の誤差）の原因としては、開閉器内の零相変流器の形状が真円ではなく、三相各線が零相変流器のコアに与える磁力線の影響にバラツキが生じるためである。また、個々の開閉器ごとの幹線と零相変流器との位置関係や加工状態などの差異により、零相変流器の出力誤差が個々の開閉器ごとに固有の大きさとなるためである。
【０００７】
本発明は上記を鑑みてなされたものであり、その目的は、高精度な絶縁低下検出を行うことができる高圧絶縁監視装置及び高圧絶縁監視方法を提供することである。
【課題を解決するための手段】
【０００８】
本発明に係る高圧絶縁監視装置は、高圧配電線路の絶縁低下を検出する高圧絶縁監視装置であって、高圧配電線路の零相電流を検出する零相変流器と、高圧配電線路の各相の負荷電流を検出する変流器と、変流器により検出された各相の負荷電流及び零相変流器の特性を用いて、各相の負荷電流の影響による零相電流の誤差を抑えるよう、零相変流器により検出された零相電流を補正する補正部とを備える。
【０００９】
また、前述の本発明に係る高圧絶縁監視装置において、補正部は、各相の負荷電流の影響による零相電流の誤差を定義する方程式を用いることが望ましい。
【００１０】
また、前述の本発明に係る高圧絶縁監視装置において、零相変流器の特性は、零相変流器及び変流器を備える開閉器の負荷側に三相負荷を接続し、その開閉器の電源側から三相平衡電圧を印加し、各相の負荷電流の合成が零となる状態で三相負荷のバランスを変えて、変流器により検出された各相の負荷電流と零相変流器により検出された零相電流との関係を求め、その関係を前述の方程式に適用することにより得られた特性であることが望ましい。
【００１１】
また、前述の本発明に係る高圧絶縁監視装置において、補正部は、変流器により検出された各相の負荷電流及び零相変流器の特性を前述の方程式に適用し、各相の負荷電流の影響による零相電流の誤差の推定値を求め、その推定値を零相変流器により検出された零相電流から減算することが望ましい。
【００１２】
本発明に係る高圧絶縁監視方法は、高圧配電線路の絶縁低下を検出する高圧絶縁監視方法であって、高圧配電線路の零相電流を零相変流器により検出するステップと、高圧配電線路の各相の負荷電流を変流器により検出するステップと、変流器により検出された各相の負荷電流及び零相変流器の特性を用いて、各相の負荷電流の影響による零相電流の誤差を抑えるよう、零相変流器により検出された零相電流を補正するステップとを有する。
【００１３】
また、前述の本発明に係る高圧絶縁監視方法において、補正するステップでは、各相の負荷電流の影響による零相電流の誤差を定義する方程式を用いることが望ましい。
【００１４】
また、前述の本発明に係る高圧絶縁監視方法において、零相変流器の特性は、零相変流器及び変流器を備える開閉器の負荷側に三相負荷を接続し、その開閉器の電源側から三相平衡電圧を印加し、各相の負荷電流の合成が零となる状態で三相負荷のバランスを変えて、変流器により検出された各相の負荷電流と零相変流器により検出された零相電流との関係を求め、その関係を前述の方程式に適用することにより得られた特性であることが望ましい。
【００１５】
また、前述の本発明に係る高圧絶縁監視方法において、補正するステップでは、変流器により検出された各相の負荷電流及び零相変流器の特性を前述の方程式に適用し、各相の負荷電流の影響による零相電流の誤差の推定値を求め、その推定値を零相変流器により検出された零相電流から減算することが望ましい。
【発明の効果】
【００１６】
本発明に係る高圧絶縁監視装置又は高圧絶縁監視方法によれば、変流器により検出された各相の負荷電流及び零相変流器の特性が用いられ、各相の負荷電流の影響による零相電流の誤差を抑えるよう、零相変流器により検出された零相電流が補正される。これにより、絶縁低下検出に用いる零相電流に対する各相の負荷電流の影響を緩和することが可能になるので、高精度な絶縁低下検出を行うことができる。
【００１７】
また、各相の負荷電流の影響による零相電流の誤差を定義する方程式を用いる場合には、その各相の負荷電流の影響による零相電流の誤差を容易に精度良く求めることが可能となるので、絶縁低下検出に用いる零相電流に対する各相の負荷電流の影響を確実に緩和することができる。
【００１８】
また、零相変流器の特性が、零相変流器及び変流器を備える開閉器の負荷側に三相負荷を接続し、その開閉器の電源側から三相平衡電圧を印加し、各相の負荷電流の合成が零となる状態で三相負荷のバランスを変えて、変流器により検出された各相の負荷電流と零相変流器により検出された零相電流との関係を求め、その関係を前述の方程式に適用することにより得られた特性である場合には、正確な零相変流器の特性を用いることが可能となるので、絶縁低下検出に用いる零相電流に対する各相の負荷電流の影響をより確実に緩和することができる。
【００１９】
また、変流器により検出された各相の負荷電流及び零相変流器の特性を前述の方程式に適用し、各相の負荷電流の影響による零相電流の誤差の推定値を求め、その推定値を零相変流器により検出された零相電流から減算する場合には、その零相電流を正確に補正することが可能となるので、絶縁低下検出に用いる零相電流に対する各相の負荷電流の影響をより確実に緩和することができる。
【図面の簡単な説明】
【００２０】
【図１】本発明の実施形態に係る高圧絶縁監視装置の概略構成を示すブロック図である。
【図２】本発明の実施形態に係る零相変流器（ＺＣＴ）の出力を測定する回路を説明するための説明図である。
【図３】本発明の実施形態に係る三相平衡状態での負荷電流とＺＣＴ出力レベル及びＺＣＴ出力位相との関係を示すグラフである。
【図４】本発明の実施形態に係る各相の負荷電流の変化に伴うＺＣＴ出力のベクトル変化を示す模式図である。
【図５】本発明の実施形態に係る開閉器の特性を説明するための説明図である。
【図６】本発明の実施形態に係る零相変流器の特性を説明するための説明図である。
【図７】本発明の実施形態に係る三相平衡状態での負荷電流と補正前後のＺＣＴ出力レベルとの関係を示すグラフである。
【発明を実施するための形態】
【００２１】
本発明の実施の一形態について図面を参照して説明する。
【００２２】
図１に示すように、本実施形態に係る高圧絶縁監視装置１は、変電所から需要先に電気を供給する配電系統の高圧配電線路Ｌ１上に設けられた開閉器（区分開閉器）２と、地絡事故の発生に応じて開閉器２による遮断動作を行う地絡継電器３と、地絡事故発生などを報知する表示部４とを備えている。
【００２３】
開閉器２は、高圧配電線路Ｌ１の零相電圧を検出する零相電圧検出装置（ＺＰＤ）２ａと、高圧配電線路Ｌ１の零相電流を検出する零相変流器（ＺＣＴ）２ｂと、高圧配電線路Ｌ１の三相の各負荷電流を検出する変流器（ＣＴ）２ｃとを有している。この開閉器２は、高圧受電設備における配電系統からの受電点に設けられている。なお、零相電圧検出装置２ａとしては、例えば、各相の対地電圧を合成して零相電圧を検出するコンデンサ形零相電圧検出装置を用いることが可能である。
【００２４】
地絡継電器３は、零相電圧検出装置２ａにより検出された零相電圧及び零相変流器２ｂにより検出された零相電流が、配電系統との保護協調の観点から設定されている零相電圧及び零相電流の整定値を超えるか否かを判断する。それらの零相電圧及び零相電流が整定値を超えたと判断した場合には、地絡事故が発生したと判定し、開閉器２による遮断動作を行う。これにより、高圧配電線路Ｌ１が開閉器２により遮断されることになる。
【００２５】
また、地絡継電器３は、零相変流器２ｂにより検出された零相電流を補正する補正部３ａを有しており、この補正部３ａにより補正した零相電流を用いて地絡事故発生前の数ＭΩの絶縁低下を検出する。なお、補正部３ａは、電気回路などのハードウエアにより構成されているが、これに限るものではなく、例えば、プログラムなどのソフトウエアにより構成されても良く、あるいは、それらの両方の組合せにより構成されても良い。
【００２６】
表示部４は、地絡事故が発生したことを報知する表示や地絡事故発生前の数ＭΩの絶縁低下が発生したことを報知する表示を行う。この表示部４としては、例えば、磁気反転表示器などを用いることが可能であり、他にも、ＬＥＤランプなどの表示灯やＬＥＤディスプレイなどを用いることが可能である。なお、表示灯やＬＥＤディスプレイなどを用いる場合には、例えば、太陽電池や充電池などの電源を設け、その電源から表示部４に電力を供給する。
【００２７】
次に、前述の補正部３ａによる補正処理について詳しく説明する。最初に、零相変流器２ｂの出力（以下、単にＺＣＴ出力という）に対する負荷電流の影響について説明し、その後、実際の補正手順について説明する。
【００２８】
まず、ＺＣＴ出力に対する負荷電流の影響を調べるため、ＺＣＴ出力（零相電流）の測定を行う。図２に示すように、開閉器２の負荷側に負荷（ＲＵＶ、ＲＶＷ、ＲＷＵ）を接続し、その電源側から三相平衡電圧（ＶＵ、ＶＶ、ＶＷ）を印加する。この印加電圧を変動させ、ＺＣＴ出力を測定する。なお、負荷としては、△負荷を用いているが、これに限るものではなく、例えば、Ｙ負荷を用いることも可能である。
【００２９】
この測定では、理想のＺＣＴ出力ＩＺＣＴは、各負荷電流ＩＵ、ＩＶ、ＩＷにより以下の式（１）により表わされる。
ＩＺＣＴ＝ＩＵ＋ＩＶ＋ＩＷ＝０      ・・・（１）
したがって、ＺＣＴ出力が発生した場合には（ＩＺＣＴ≠０）、その原因は負荷電流の影響となる。
【００３０】
前述の測定結果によれば、図３に示すように、ＺＣＴ出力（グラフＡ１）は負荷電流に比例して増加し、ＺＣＴの出力位相（グラフＢ１）はほぼ一定となる。なお、図３では、ＲＵＶ＝０．３０Ω、ＲＶＷ＝０．３０Ω、ＲＷＵ＝０．３０Ωである。また、このとき、各負荷電流の変化に伴うＺＣＴ出力のベクトルの変化は、例えば、図４に示すようになる。
【００３１】
ここで、図３に示すように、負荷電流の影響によるＺＣＴ出力レベルは、負荷電流が２５Ａである場合でも２ｍＡ程度である。通常、地絡継電器３は、地絡抵抗１０ｋΩ以下で流れる１００ｍＡ以上の零相電流を検出して地絡事故を判別するため、２ｍＡ程度の負荷電流が通常の地絡事故の検出に影響を及ぼすことはほとんど無い。
【００３２】
ところが、数ＭΩの高抵抗の絶縁低下において正確な零相電流を検出する必要がある場合には、絶縁低下によるＺＣＴ出力として１ｍＡ程度の零相電流を検出する必要があるため、負荷電流がＺＣＴ出力に及ぼす影響は大きく検出の障害となる。したがって、高精度な絶縁低下検出を行うためには、負荷電流の影響を除去もしくは緩和する必要がある。
【００３３】
前述の測定では、式（１）のように零相電流は理論上無いことから、負荷電流がＺＣＴ出力に影響を与える原因はＺＣＴの特性によるものである。このため、ＺＣＴ出力の補正には、変流器２ｃから各負荷電流を取得するとともに、ＺＣＴ特性を把握する必要がある。なお、負荷電流の影響を含むＺＣＴ出力から零相電流のみの値を得るためには、負荷電流値及びＺＣＴ特性（零相変流器２ｂの特性）を用いて零相電流に対する負荷電流の影響を補正することになる。
【００３４】
各負荷電流の影響によって生じるＺＣＴ出力ＩＵＶＷは、そのＺＣＴ出力ＩＵＶＷに対して各負荷電流のベクトルＩＵ、ＩＶ、ＩＷの影響を表すＺＣＴ特性ベクトルαＵ、αＶ、αＷが用いられ、以下の式（２）により表わされる。
ＩＵＶＷ＝αＵ・ＩＵ＋αＶ・ＩＶ＋αＷ・ＩＷ      ・・・（２）
【００３５】
この式（２）が各負荷電流の影響による零相電流の誤差を定義する方程式である。このとき、各負荷電流の合成が零の状態であると、ＩＵＶＷはＺＣＴ出力に等しくなる。したがって、ここでは計算を簡便にするため、合成して零の状態での各負荷電流及びＩＵＶＷからＺＣＴ特性を求める。
【００３６】
なお、各負荷電流のバランスを保った（三相の抵抗値が同等の）状態で測定を行った場合には、負荷電流を変動させてもＩＵＶＷに含まれる各負荷電流の影響を分離することはできない。そこで、各負荷電流を合成して零を保った状態で各負荷電流間のバランスを変化させ、各相の電流波形及びＺＣＴ出力波形を測定して、ＺＣＴ特性ベクトルαＵ、αＶ、αＷの値を求める。
【００３７】
その後、求めたＺＣＴ特性ベクトルαＵ、αＶ、αＷの値を用いて式（２）から零相電流の誤差の推定値ＩＵＶＷを求め、最後に、補正の対象となるＺＣＴ出力をＩＺＣＴとし、以下の式（３）を用いて補正後のＺＣＴ出力Ｉ０を求める。
Ｉ０＝ＩＺＣＴ−ＩＵＶＷ      ・・・（３）
【００３８】
ここで、一例として、図５には、ＺＣＴ特性ベクトルαＵ、αＶ、αＷの算出に用いたデータが示されている。この図５に示すデータは、三相平衡負荷での測定結果である。このとき、図２に示す測定回路が用いられ、三相負荷のバランスが変えられて三パターンで測定が行われる。なお、図２に示す測定回路では、負荷側へ流れた電流は必ず電源側へ戻ることから、電流の不平衡が生じずＺＣＴ出力に現れることはない。
【００３９】
このような図５に示すデータが前述の式（２）に代入され、三つの多項式が得られる。これらの多項式が解かれ、負荷電流ごとのＺＣＴ特性ベクトルαＵ、αＶ、αＷが図６に示すように得られる。このＺＣＴ特性ベクトルαＵ、αＶ、αＷが補正時に用いられる。
【００４０】
すなわち、補正では、任意のＺＣＴ出力に対し、そのときの各負荷電流とＺＣＴ特性とが用いられ、式（２）から零相電流の誤差の推定値ＩＵＶＷが得られる。さらに、式（３）が用いられ、零相電流の誤差の推定値ＩＵＶＷがＺＣＴ出力ＩＺＣＴから減算され、補正後のＺＣＴ出力Ｉ０が得られる。
【００４１】
この補正によれば、補正後のＺＣＴ出力（波形Ａ２）は、図７に示すように、補正前のＺＣＴ出力（波形Ａ１）に比べ、負荷電流の値によらず０．２ｍＡ程度で安定している。０．２ｍＡは地絡抵抗２０ＭΩで流れる零相電流に相当する。このように補正後のＺＣＴ出力は補正前のＺＣＴ出力に比べ０．０ｍＡに近づいていることから、補正によって負荷電流の影響が緩和されていることがわかる。なお、図７では、ＲＵＶ＝０．３０Ω、ＲＶＷ＝０．３０Ω、ＲＷＵ＝０．３０Ωである。
【００４２】
このような補正処理が補正部３ａにより行われる。このとき、変流器２ｃにより検出された各相の負荷電流（各負荷電流）及び零相変流器２ｂの特性（ＺＣＴ特性）が用いられ、各相の負荷電流の影響による零相電流の誤差を抑えるよう、零相変流器２ｂにより検出された零相電流が補正される。これにより、負荷電流の影響を受けたＺＣＴ出力を高精度な絶縁低下検出が可能となるレベルまで補正し、数ＭΩの絶縁低下時の検出精度を向上させることができる。
【００４３】
特に、零相変流器２ｂの出力（ＺＣＴ出力）から数ＭΩの絶縁低下を検出することが可能となることから、従来、各相の負荷電流によるノイズ成分の影響により検出限界は数十ｍＡ程度であるが、補正部３ａのベクトル演算による零相電流の補正により、１ｍＡ程度の検出を実現することができる。また、地絡事故発生前の数ＭΩの絶縁低下を検出することが可能となるので、その地絡事故発生前の数ＭΩの絶縁低下が発生した旨を表示部４により報知することができる。このため、復旧作業などを行う作業者は地絡事故発生前の数ＭΩの絶縁低下の発生を視認することが可能となり、その情報を作業に役立てることができる。
【００４４】
また、別個に絶縁低下を監視する装置を設ける場合には、新たにセンサを追加する必要があり、その分の費用が発生するが、本実施形態では、零相変流器２ｂを使用することで新たにセンサを設ける必要がないため、低コスト化を実現することができる。さらに、別個の装置を用いず、地絡事故発生前の数ＭΩの絶縁低下を知るために絶縁抵抗値を測定する場合には、停電状態での点検が必要となるため、手間を要することになるが、本実施形態では、地絡事故発生前の数ＭΩの絶縁低下が表示部４により報知されるので、作業者は地絡事故発生前の数ＭΩの絶縁低下を容易に知ることが可能となり、前述のような手間を省くことができる。
【００４５】
以上説明したように、本実施形態によれば、変流器２ｃにより検出された各相の負荷電流及び零相変流器２ｂの特性を用い、各相の負荷電流の影響による零相電流の誤差を抑えるよう、零相変流器２ｂにより検出された零相電流を補正する。これにより、絶縁低下検出に用いる零相電流に対する各相の負荷電流の影響を緩和することが可能になるので、高精度な絶縁低下検出を行うことができる。
【００４６】
また、各相の負荷電流の影響による零相電流の誤差を定義する方程式、すなわち前述の式（２）を用いることによって、その各相の負荷電流の影響による零相電流の誤差を容易に精度良く求めることが可能となるので、絶縁低下検出に用いる零相電流に対する各相の負荷電流の影響を確実に緩和することができる。
【００４７】
さらに、零相変流器２ｂの特性が、零相変流器２ｂ及び変流器２ｃを備える開閉器２の負荷側に三相負荷を接続し、その開閉器２の電源側から三相平衡電圧を印加し、各相の負荷電流の合成が零となる状態で三相負荷のバランスを変えて変流器２ｃにより検出された各相の負荷電流と零相変流器２ｂにより検出された零相電流との関係を求め、その関係を前述の式（２）に適用することにより得られた特性であることから、正確な零相変流器２ｂの特性を用いることが可能となるので、絶縁低下検出に用いる零相電流に対する各相の負荷電流の影響を確実に緩和することができる。
【００４８】
また、変流器２ｃにより検出された各相の負荷電流及び零相変流器２ｂの特性を前述の式（２）に適用し、各相の負荷電流の影響による零相電流の誤差の推定値を求め、その推定値を零相変流器２ｂにより検出された零相電流から減算することから、その零相電流を正確に補正することが可能となるので、絶縁低下検出に用いる零相電流に対する各相の負荷電流の影響を確実に緩和することができる。
【００４９】
なお、前述の実施形態においては、地絡継電器３内に補正部３ａを設けているが、これに限るものではなく、例えば、開閉器３内に補正部３ａを設けるようにしても良い。この場合、開閉器３内の補正部３ａは補正後の零相電流を地絡継電器３に出力することになる。
【００５０】
最後に、前述の実施形態は例示であり、発明の範囲はそれらに限定されない。前述の実施形態は種々変更可能であり、例えば、前述の実施形態に示される全構成要素から幾つかの構成要素が削除されても良く、さらに、異なる実施形態に係る構成要素が適宜組み合わされても良い。
【符号の説明】
【００５１】
１    高圧絶縁監視装置
２    開閉器
２ａ  零相電圧検出装置
２ｂ  零相変流器
２ｃ  変流器
３    地絡継電器
３ａ  補正部
４    表示部
Ｌ１  高圧配電線路
【図１】
2014036499.tif 000003
【図２】
2014036499.tif 000004
【図３】
2014036499.tif 000005
【図４】
2014036499.tif 000006
【図５】
2014036499.tif 000007
【図６】
2014036499.tif 000008
【図７】
2014036499.tif 000009